(57)【要約】ＴＶ推奨器システム用のユーザインタフェースは、推奨器システム中の定義済みＴＶ視聴選好プロファイルから導出される評価を表示する第１の領域及び評価の導出に使用されたプロファイル中の選好設定を表示する第２の領域を有する表示画面を含む。プロファイルにより導出される評価が正しくない場合に選好設定の変更が可能であり、以前はプロファイルの一部でなかった新しい特徴のプロファイルへの追加が可能である。また、ユーザの選好をより正確に反映すべくＴＶ推奨器システム中で使用された以前に定義されたＴＶ視聴選好プロファイルを訂正する方法、及び、ＴＶ推奨器システムが提供される。
2004518372.tif 000002
【特許請求の範囲】
【請求項１】
推奨器システムに入れられた以前に定義された選好プロファイルから導出される評価を表示する第１の領域と、
評価を導出されるのに使用されたプロファイル中の選好設定を表示する第２の領域と、
を有する表示画面を含む、推奨器システム用のユーザインタフェースであって、
選好設定は、プロファイルによって導出される評価が正しくなければ変更されうるユーザインタフェース。
【請求項２】
プロファイルは明示的な選好プロファイルである、請求項１記載のユーザインタフェース。
【請求項３】
プロファイルは暗黙的な選好プロファイルである、請求項１記載のユーザインタフェース。
【請求項４】
推奨器システムに入れられた以前に定義された第２のプロファイルから導出される評価を表示する第３の領域を更に含む、請求項１記載のユーザインタフェース。
【請求項５】
プロファイルは明示的な選好プロファイルであり、第２のプロファイルは暗黙的な選好プロファイルである、請求項４記載のユーザインタフェース。
【請求項６】
評価を導出するのに使用された第２のプロファイル中の選好設定を表示する第４の領域を更に含む、請求項４記載のユーザインタフェース。
【請求項７】
第４の領域に表示される選好設定は、プロファイルによって導出される評価が正しくなければ変更されうる、請求項６記載のユーザインタフェース。
【請求項８】
第２の領域はプロファイルに特徴が追加されることを更に可能とする、請求項１記載のユーザインタフェース。
【請求項９】
推奨器はテレビジョン番組推奨器を含み、選好プロファイルはテレビジョン番組視聴選好プロファイルを含む、請求項１記載のユーザインタフェース。
【請求項１０】
ユーザの選好を更に正確に反映するために推奨器システムにおいて使用される以前に定義された選好プロファイルを訂正する方法であって、
以前に定義された選好プロファイルから導出された評価を表示する段階と、
評価を導出するために使用されたプロファイル中の選好設定を表示する段階と、
プロファイルによって導出された評価が正しくなければ選好設定のうちの少なくとも１つをユーザが変更することを可能とする段階とを含む方法。
【請求項１１】
推奨器システムに入れられた以前に定義された第２のプロファイルから導出される評価を表示する段階を更に含む、請求項１０記載の方法。
【請求項１２】
評価を導出するために使用された第２のプロファイル中の選好設定を表示する段階を更に含む、請求項１１記載の方法。
【請求項１３】
選好プロファイルと、
プロファイルから導出される評価を表示する第１の領域及び評価を導出するために使用されたプロファイル中の選好設定を表示する第２の領域を有する表示画面を含むユーザインタフェースとを含み、
プロファイルによって導出される評価が正しくなければ選好設定が変更されうる推奨器システム。
【請求項１４】
第２の選好プロファイルと、第２の選好プロファイルから導出される評価を表示する第３の領域とを更に含む、請求項１３記載の推奨器システム。
【請求項１５】
対応する評価を導出するために使用されたプロファイルのうちの１つの中の選好設定を表示する第４の領域を更に含む、請求項１４記載の推奨器システム。
【発明の詳細な説明】
【０００１】
本発明はテレビジョン（ＴＶ）推奨器に係り、更に特定的にはＴＶ番組の視聴者評価を収集し、以前に導出された選好プロファイル中の誤りをユーザが訂正することを可能とするユーザインタフェースに関連する。
【０００２】
パーソナルテレビジョン（ＰＴＶ）サービスは、放送者が番組を見せるのをいつに選ぶかに関わらず、視聴者がいつでも番組を視聴することを可能とする。これは、一般的には、本質的にはハードドライブを備えたセットトップボックスであるパーソナルＴＶレコーダを視聴者に提供することによって達成される。ＰＴＶサービスはハードドライブ上に搭載され、セットトップボックスが生のテレビジョン放送を選択的に記録及び再生することを可能とする。これらのＰＴＶサービスの多くは、視聴者のパーソナルなＴＶ視聴プロファイルに基づいてテレビジョン番組を推奨する番組推奨器を含む。
【０００３】
ＴＶ視聴プロファイルは、現在では３つの基本的な方法、即ち、暗黙的なプロファイリング、明示的なプロファイリング、及びフィードバックプロファイリングを用いて導出される。暗黙的なプロファイリング方法は、視聴者のテレビジョン視聴履歴、即ち、視聴されたＴＶ番組と視聴されなかったＴＶ番組の集合から目立たないようＴＶ視聴プロファイルを導出する。明示的なプロファイリング方法は、視聴者が何が好きで何が嫌いかについての明示的な質問を含む視聴者が回答したアンケートからＴＶ視聴プロファイルを導出する。フィードバックプロファイリング方法は、視聴者がどの程度好きか嫌いかの評価を与えたＴＶ番組の集合からＴＶ視聴プロファイルを導出する。
【０００４】
しかしながら、従来のＴＶ推奨器では、視聴者は以前に導出されたプロファイルの誤りを訂正することができない。従って、以前に導出されたＴＶ推奨器選好プロファイル中に存在しうる誤りを視聴者が訂正することを可能とする方法が必要とされる。
【０００５】
本発明の１つの面は、推奨器システム用のユーザインタフェースを含む。ユーザインタフェースは、推奨器システムに入れられた以前に定義された選好プロファイルから導出される評価を表示する第１の領域と、評価を導出されるのに使用されたプロファイル中の選好設定を表示する第２の領域とを有する表示画面を含む。ユーザインタフェースは、プロファイルによって導出される評価が正しくなければ選好設定が変更されることを可能とする。
【０００６】
本発明の他の面は、推奨器システムにおいて使用された以前に定義された選好プロファイルを訂正する方法を提供する。この方法は、以前に定義された選好プロファイルから導出された評価を表示する段階と、評価を導出するために使用されたプロファイル中の選好設定を表示する段階と、プロファイルによって導出された評価が正しくなければ選好設定のうちの少なくとも１つをユーザが変更することを可能とする段階とを含む。
【０００７】
本発明の更なる面は、選好プロファイルと、プロファイルから導出される評価を表示する第１の領域及び評価を導出するために使用されたプロファイル中の選好設定を表示する第２の領域を有する表示画面を含むユーザインタフェースとを含み、プロファイルによって導出される評価が正しくなければ選好設定が変更されうる推奨器システムを含む。
【０００８】
本発明の利点、性質、及び種々の追加的な特徴は、同様の要素を示すために同様の参照番号を用いた添付の図面と共に説明される典型的な実施例を考えることにより更に完全に理解されるであろう。
【０００９】
図１は、本発明の典型的な実施例によるユーザインタフェース１０（ＵＩ）を示す図である。図２に示すように、本発明のＵＩ１０は一般的には、明示的な推奨器１１０への入力を与える明示的なＴＶ選好プロファイル９０、及び、暗黙的な推奨器１２０への入力を与える暗黙的なＴＶ選好プロファイル１００からなる従来のＴＶ推奨器システムに関連付けられる。電子番組ガイド１３０（ＥＰＧ）は、両方の推奨器１１０、１２０に対してＴＶ番組に関連するデータを入力する。かかるデータは、各ＴＶ番組のタイトル、チャンネル、開始時間、及び他の特徴を含みうる。ＵＩ１０は、ユーザが対話しうる表示画面上で実施されうる。
【００１０】
本発明のＵＩ１０は、フィードバックについて評価されているＴＶ番組の特徴、この番組に対する推測される評価、及びこの評価を導出するために使用された既存のプロファイルの設定選好を表示する方法を提供する。従って、推奨器システムのユーザは、誤った選好に寄与したユーザのＴＶ視聴プロファイル中の全ての不備を有利に認識し訂正しうる。
【００１１】
図１に示す実施例では、ＵＩ１０は、評価されているＴＶ番組のタイトルを表示しうる第１の領域２０と、関連付けられる推奨器システムの明示的なＴＶ視聴選好プロファイルによって導出される表示されたＴＶ番組の明示的な評価スコアを表示しうる第２の領域３０と、関連付けられる推奨器システムの暗黙的なＴＶ視聴選好プロファイルによって導出される表示されたＴＶ番組の暗黙的な評価スコアを表示しうる第３の領域４０とを含む。第４の領域５０は、調べられているＴＶ番組の明示的な評価スコアを導出するために使用されたユーザの明示的なＴＶ視聴プロファイル中の選好設定をユーザが訂正することを可能とするために設けられる。特に、第４の領域５０は、表示されたＴＶ番組に対するユーザの以前に導出された選好設定が正しいかどうかをユーザに対して尋ねる質問５２を含みうる。第４の領域はまた、ユーザの明示的なＴＶ視聴プロファイル中に入れられたユーザのＴＶ視聴選好設定を示す複数の領域５４ａ−５４ｆを含みうる。更に、領域５４ａ−５４ｆは、視聴者のＴＶ視聴プロファイルに対してＥＰＧによって与えられるようなＴＶ番組に関する任意の特徴を視聴者が追加することを可能としうる。例えば、図示する実施例では、領域５４ａは表示されたＴＶ番組のタイトルが視聴者のＴＶ視聴プロファイルに追加されることを可能とする。領域５４ａ−５４ｆに関連付けられるこれらのＴＶ視聴選好設定は、特定のＴＶ番組についてのユーザの選好設定、ＴＶ番組の曜日及び時間帯；ＴＶ番組を放送する網に対するユーザの選好選定；コメディータイプのＴＶ番組に対するユーザの選好設定；ホームコメディータイプのＴＶ番組に対するユーザの選好設定；及びアニメーションのＴＶ番組についてのユーザの選好設定を含みうる。
【００１２】
第５の領域６０は、第４の領域に加えて、または、第４の領域の代わりに、調べられているＴＶ番組の暗黙的な評価スコアを導出するために使用されたユーザの暗黙的なＴＶ視聴プロファイル中の選好設定をユーザが訂正することを可能とするために設けられうる。第６の領域７０は、明示的な及び暗黙的なＴＶ推奨プロファイルに対するフィードバックを出すボタン７２のために設けられる。
【００１３】
本発明は、ＴＶ推奨器と共に用いられるＴＶ視聴プロファイルを合わせるために適用されることについて説明されたが、本発明の原理はこの分野に限られるものではない。例えば、本発明の原理は映画、書籍、音声記録等の推奨器のためのフィードバックに基づいてプロファイルを合わせる装置に適用されうる。
【００１４】
本発明は、上述の実施例を参照して説明されたが、本発明の趣旨を逸脱することなく種々の修正及び変更がなされうる。従って、このような全ての修正及び変更は請求の範囲内であると考えられる。
【図面の簡単な説明】
【図１】
本発明の典型的な実施例によるユーザインタフェース（ＵＩ）を示す図である。
【図２】
本発明のＵＩを使用するテレビジョン推奨器の典型的な実施例を示すブロック図である。
【図１】
2004518372.tif 000003
【図２】
2004518372.tif 000004
【国際公開パンフレット】
2004518372.tif 000005
2004518372.tif 000006
2004518372.tif 000007
2004518372.tif 000008
2004518372.tif 000009
2004518372.tif 000010
2004518372.tif 000011
2004518372.tif 000012
2004518372.tif 000013
【国際公開パンフレット（コレクトバージョン）】
2004518372.tif 000014
【国際調査報告】
2004518372.tif 000015
2004518372.tif 000016